(57)【要約】【課題】マスカーテープを一連の動作で連続的に貼付することができ、高所の貼付面に効率よく短時間にマスカーテープを貼付することができるテープ貼付器具を提供する。【解決手段】テープ貼付器具１０Ａが、軸方向へ延びるロッド１８と、ロッド１８の先端部１９に取り付けられたテープ繰り出し部材２０とから形成されている。テープ繰り出し部材２０は、一端部４３および他端部４４を有して幅方向へ延びるベース４０と、ベース４０の一端部４３から軸方向前方へ延びていてマスカーテープを引出可能に支持するテープ支持棒４１と、ベース４０の他端部４４から軸方向前方へ延びていてマスカーテープの粘着テープ材の粘着面を高所の貼付面に押し当てつつテープ支持棒４１からマスカーテープを次第に引き出すテープ引出棒４２とから形成されている。【選択図】図１
2016222382.tif 000002
【特許請求の範囲】
【請求項１】
ロール状に巻き取られたテープを建造物の所定の貼付面に貼付するテープ貼付器具において、
前記テープ貼付器具が、軸方向へ延びるロッドと、前記ロッドの先端部に取り付けられたテープ繰り出し部材とから形成され、前記テープ繰り出し部材が、前記ロッドの先端部に連結された一端部および前記一端部から前記軸方向と交差する幅方向へ離間する他端部を有して前記幅方向へ延びるベースと、前記ベースの一端部から前記軸方向前方へ延びていて前記テープを引出可能に支持するテープ支持棒と、前記ベースの他端部から前記軸方向前方へ延びていて前記テープの粘着面を前記建造物の貼付面に押し当てつつ前記テープ支持棒から該テープを次第に引き出すテープ引出棒とから形成されていることを特徴とするテープ貼付器具。
【請求項２】
前記テープが、前記建造物の貼付面に貼付される粘着テープ材と前記粘着テープ材に連接されて該粘着テープ材の下方に延びる養生シート材とから形成されたマスカーテープ、または、前記建造物の貼付面に貼付されるマスキングテープのいずれかであり、前記テープ貼付器具では、前記テープがマスカーテープである場合、前記テープ引出棒によって前記粘着テープ材の粘着面が前記建造物の貼付面に押し当てられ、前記テープが前記マスキングテープである場合、前記テープ引出棒によって前記マスキングテープの粘着面が前記建造物の貼付面に押し当てられる請求項１に記載のテープ貼付器具。
【請求項３】
前記テープ支持棒が、前記ベースから軸方向前方へ離間する前端部に回転可能に取り付けられ、前記粘着テープ材の内周面を保持し、または、前記マスキングテープの内周面を保持する支持ローラを有し、前記テープ引出棒が、前記ベースから軸方向前方へ離間する前端部に回転可能に取り付けられ、前記粘着テープ材を巻き付けた状態で該粘着テープ材の非粘着面を保持し、または、前記マスキングテープを巻き付けた状態で該マスキングテープの非粘着面を保持する引出ローラを有する請求項２に記載のテープ貼付器具。
【請求項４】
前記支持ローラが、その周面から径方向外方に延びていて前記粘着テープ材の内周面を押圧し、または、前記マスキングテープの内周面を押圧する弾性変形可能な押圧部を有する請求項３に記載のテープ貼付器具。
【請求項５】
前記引出ローラが、前記粘着テープ材の非粘着面が貼着されまたは前記マスキングテープの非粘着面が貼着される粘着性の外周面を有して前記テープ引出棒の前端部に回転可能に取り付けられた粘着ローラと、前記粘着ローラの軸方向下方に位置して前記マスカーテープの養生シート材を前記建造物の粘着面に押し当てる弾性変形可能なクッションローラとのうちの少なくとも前記粘着ローラから形成されている請求項３または請求項４に記載のテープ貼付器具。
【請求項６】
前記粘着ローラの外周面の粘着力が、前記粘着テープ材の粘着面の粘着力よりも小さく、または、前記マスキングテープの粘着面の粘着力よりも小さい請求項５に記載のテープ貼付器具。
【請求項７】
前記テープ繰り出し部材では、前記テープ支持棒と前記テープ引出棒との軸方向の長さ寸法が同一、前記支持ローラと前記粘着ローラとの軸方向の長さ寸法が同一であり、前記テープ支持棒に対する前記支持ローラの軸方向の取付位置と前記テープ引出棒に対する前記粘着ローラの軸方向の取付位置とが同一である請求項５または請求項６に記載のテープ貼付器具。
【請求項８】
前記テープ貼付器具では、前記ロッドに対して前記テープ繰り出し部材のテープ支持棒とテープ引出棒とが所定の角度で傾斜するように、前記ベースの一端部が前記ロッドの先端部に旋回可能に連結されている請求項１ないし請求項７いずれかに記載のテープ貼付器具。
【請求項９】
前記ロッドが、前記柄部を有する第１ロッドと、前記第１ロッドの内部に収容されて該第１ロッドの先端部から前記軸方向へ伸縮可能な第２ロッドと、前記第１ロッドに対して前記第２ロッドを伸縮不能に固定するロック機構とを有し、前記テープ繰り出し部材が、前記第２ロッドの先端部に取り付けられている請求項１ないし請求項８いずれかに記載のテープ貼付器具。
【請求項１０】
前記テープ貼付器具が、前記テープ支持棒に挿脱可能に挿入されて前記マスキングテープを着脱可能に設置する円筒状のアタッチメントを含み、前記テープ貼付具では、前記アタッチメントの内周面が前記支持ローラの押圧部に押圧された状態で該アタッチメントが該支持ローラに回転可能に支持される請求項３ないし請求項９いずれかに記載のテープ貼付器具。
【請求項１１】
前記テープ貼付器具は、人の手が届かない前記建造物の貼付箇所の高所の貼付面に前記テープを貼付する場合に使用される請求項１ないし請求項１０いずれかに記載のテープ貼付器具。
【発明の詳細な説明】
【技術分野】
【０００１】
本発明は、ロール状に巻き取られたテープを建造物の所定の貼付面に貼付するために使用するテープ貼付器具に関する。
【背景技術】
【０００２】
長手形状の把持部と、把持部の先端から二股に分かれて形成されるコ字状のフレームと、 フレームの中間部に架設されてロール状に巻いた養生テープを装着する回転体と、 フレームの先端部に回転自在に固定され、養生テープの引き出し部分の非粘着面を押さえて養生テープを床面に貼り付ける押さえローラと、押さえローラに養生テープの引出し部分を案内する案内片とを有する床養生テープ貼り工具が開示されている（特許文献１参照）。
【０００３】
この床養生テープ貼り工具は、回転体に装着された養生テープの引き出し部分を上側が粘着面となるように引出し、押さえローラの外周面に養生テープの引き出し部分の非粘着面が当接して巻回するように上側から巻き込み、この押さえローラで床面に載置された養生シートに養生テープの粘着面を押さえて養生テープを貼り付ける。床養生テープ貼り工具は、それを前進方向に押し出すことで養生シートに養生テープを貼付することができるから、養生シートに養生テープを容易に貼り付けることができる。
【先行技術文献】
【特許文献】
【０００４】
【特許文献１】特開２０１０−１４３６７１号公報
【発明の概要】
【発明が解決しようとする課題】
【０００５】
前記特許文献１に開示の床養生テープ貼り工具は、床面を被覆する養生シートに養生テープを貼付するために使用されるが、テープを建造物の壁面に貼付することはできない。なお、壁面の高所の貼付箇所にテープを貼付する場合、脚立に乗った作業者がロール状に巻き取られたテープを手で持ち、そのテープを次第に繰り出し、テープの粘着面を壁面に押し付けてテープを壁面に貼り付ける。壁面の高所の貼付箇所に作業者が手作業でテープを貼付する場合、脚立を壁際で移動させつつ脚立への乗降を繰り返さなければならないとともに、テープを一連の動作で連続的に貼付することができず、テープの貼付作業に手間と時間とを要し、テープを効率よく短時間に貼付することができない。
【０００６】
本発明の目的は、テープを一連の動作で連続的に貼付することができ、テープの貼付作業に手間と時間とを要せず、建造物の所定の貼付面に効率よく短時間にテープを貼付することができるテープ貼付器具を提供することにある。本発明の他の目的は、人の手が届かない建造物の高所の貼付面にテープを一連の動作で連続的に貼付することができるテープ貼付器具を提供することにある。
【課題を解決するための手段】
【０００７】
前記課題を解決するための本発明の前提は、ロール状に巻き取られたテープを建造物の所定の貼付面に貼付するテープ貼付器具である。
【０００８】
前記前提における本発明の特徴は、テープ貼付器具が、軸方向へ延びるロッドと、ロッドの先端部に取り付けられたテープ繰り出し部材とから形成され、テープ繰り出し部材が、ロッドの先端部に連結された一端部および一端部から軸方向と交差する幅方向へ離間する他端部を有して幅方向へ延びるベースと、ベースの一端部から軸方向前方へ延びていてテープを引出可能に支持するテープ支持棒と、ベースの他端部から軸方向前方へ延びていてテープの粘着面を建造物の貼付面に押し当てつつテープ支持棒からテープを次第に引き出すテープ引出棒とから形成されていることにある。
【０００９】
本発明の一例としては、テープが、建造物の貼付面に貼付される粘着テープ材と粘着テープ材に連接されて粘着テープ材の下方に延びる養生シート材とから形成されたマスカーテープ、または、建造物の貼付面に貼付されるマスキングテープのいずれかであり、テープ貼付器具では、テープがマスカーテープである場合、テープ引出棒によって粘着テープ材の粘着面が建造物の貼付面に押し当てられ、テープがマスキングテープである場合、テープ引出棒によってマスキングテープの粘着面が建造物の貼付面に押し当てられる。
【００１０】
本発明の他の一例としては、テープ支持棒が、ベースから軸方向前方へ離間する前端部に回転可能に取り付けられ、粘着テープ材の内周面を保持し、または、マスキングテープの内周面を保持する支持ローラを有し、テープ引出棒が、ベースから軸方向前方へ離間する前端部に回転可能に取り付けられ、粘着テープ材を巻き付けた状態で粘着テープ材の非粘着面を保持し、または、マスキングテープを巻き付けた状態でマスキングテープの非粘着面を保持する引出ローラを有する。
【００１１】
本発明の他の一例としては、支持ローラが、その周面から径方向外方に延びていて粘着テープ材の内周面を押圧し、または、マスキングテープの内周面を押圧する弾性変形可能な押圧部を有する。
【００１２】
本発明の他の一例としては、引出ローラが、粘着テープ材の非粘着面が貼着されまたはマスキングテープの非粘着面が貼着される粘着性の外周面を有してテープ引出棒の前端部に回転可能に取り付けられた粘着ローラと、粘着ローラの軸方向下方に位置してマスカーテープの養生シート材を建造物の粘着面に押し当てる弾性変形可能なクッションローラとのうちの少なくとも粘着ローラから形成されている。
【００１３】
本発明の他の一例としては、粘着ローラの外周面の粘着力が、粘着テープ材の粘着面の粘着力よりも小さく、または、マスキングテープの粘着面の粘着力よりも小さい。
【００１４】
本発明の他の一例として、テープ繰り出し部材では、テープ支持棒とテープ引出棒との軸方向の長さ寸法が同一、支持ローラと粘着ローラとの軸方向の長さ寸法が同一であり、テープ支持棒に対する支持ローラの軸方向の取付位置とテープ引出棒に対する粘着ローラの軸方向の取付位置とが同一である。
【００１５】
本発明の他の一例として、テープ貼付器具では、ロッドに対してテープ繰り出し部材のテープ支持棒とテープ引出棒とが所定の角度で傾斜するように、ベースの一端部がロッドの先端部に旋回可能に連結されている。
【００１６】
本発明の他の一例としては、ロッドが、柄部を有する第１ロッドと、第１ロッドの内部に収容されて第１ロッドの先端部から軸方向へ伸縮可能な第２ロッドと、第１ロッドに対して第２ロッドを伸縮不能に固定するロック機構とを有し、テープ繰り出し部材が第２ロッドの先端部に取り付けられている。
【００１７】
本発明の他の一例としては、テープ貼付器具がテープ支持棒に挿脱可能に挿入されてマスキングテープを着脱可能に設置する円筒状のアタッチメントを含み、テープ貼付具では、アタッチメントの内周面が支持ローラの押圧部に押圧された状態でアタッチメントが支持ローラに回転可能に支持される。
【００１８】
本発明の他の一例として、テープ貼付器具は、人の手が届かない建造物の貼付箇所の高所の貼付面にテープを貼付する場合に使用される。
【発明の効果】
【００１９】
本発明にかかるテープ貼付器具によれば、軸方向へ延びるロッドを手で把持し、ベースの他端部から軸方向前方へ延びるテープ引出棒を利用してテープ支持棒に支持されたテープの粘着面を建造物の貼付面に押し当てつつ、ロッドを貼付面に沿って移動させることで、テープ支持棒からロール状に巻き取られたテープが次第に引き出されるとともに、テープが建造物の所定の貼付面に連続して貼り付けられるから、ロッドの移動という一連の動作でテープを建造物の貼付面に連続的に貼付することができ、テープの貼付作業に手間と時間とを要せず、建造物の貼付面に効率よく短時間にテープを貼付することができる。テープ貼付器具は、ロッドを手で把持し、テープ繰り出し部材をロッドの上方へ持ち上げてテープ引出棒を建造物の高所の貼付面に位置させることで、脚立を使用することなく、人の手が届かない建造物の高所の貼付面にテープを一連の動作で連続的に貼付することができる。したがって、このテープ貼付器具は、建造物の高所の貼付面に対するテープの貼付に最適に使用することができる。
【００２０】
テープが建造物の貼付面に貼付される粘着テープ材と粘着テープ材に連接されて粘着テープ材の下方に延びる養生シート材とから形成されたマスカーテープ、または、建造物の貼付面に貼付されるマスキングテープのいずれかであり、テープがマスカーテープである場合、テープ引出棒によって粘着テープ材の粘着面が建造物の貼付面に押し当てられ、テープがマスキングテープである場合、テープ引出棒によってマスキングテープの粘着面が建造物の貼付面に押し当てられるテープ貼付器具は、テープがマスカーテープである場合、テープ引出棒を利用してテープ支持棒に支持されたマスカーテープの粘着テープ材の粘着面を建造物の貼付面に押し当てつつ、ロッドを貼付面に沿って移動させることで、テープ支持棒からロール状に巻き取られたマスカーテープが次第に引き出されるとともに、マスカーテープが貼付面に連続的に貼り付けられるから、ロッドの移動という一連の動作でマスカーテープを建造物の所定の貼付面に連続して貼付することができ、マスカーテープの貼付作業に手間と時間とを要せず、建造物の貼付面に効率よく短時間にマスカーテープを貼付することができる。テープがマスキングテープである場合、テープ引出棒を利用してテープ支持棒に支持されたマスキングテープの粘着面を建造物の貼付面に押し当てつつ、ロッドを貼付面に沿って移動させることで、テープ支持棒からロール状に巻き取られたマスキングテープが次第に引き出されるとともに、マスキングテープが貼付面に連続的に貼り付けられるから、ロッドの移動という一連の動作でマスキングテープを建造物の所定の貼付面に連続して貼付することができ、マスキングテープの貼付作業に手間と時間とを要せず、建造物の貼付面に効率よく短時間にマスキングテープを貼り付けることができる。
【００２１】
テープ支持棒が、ベースから軸方向前方へ離間する前端部に回転可能に取り付けられ、粘着テープ材の内周面を保持し、または、マスキングテープの内周面を保持する支持ローラを有し、テープ引出棒が、ベースから軸方向前方へ離間する前端部に回転可能に取り付けられ、粘着テープ材を巻き付けた状態で粘着テープ材の非粘着面を保持し、または、マスキングテープを巻き付けた状態でマスキングテープの非粘着面を保持する引出ローラを有するテープ貼付器具は、粘着テープ材またはマスキングテープが巻き付いた状態で粘着テープ材またはマスキングテープの粘着面が引出ローラに保持され、引出ローラによって粘着テープ材またはマスキングテープの粘着面が建造物の所定の貼付面に押し当てられるから、引出ローラを利用してマスカーテープまたはマスキングテープを建造物の所定の貼付面に連続して貼付することができ、マスカーテープまたはマスキングテープを建造物の貼付面に効率よく短時間に貼付することができる。
【００２２】
支持ローラがその周面から径方向外方に延びていて粘着テープ材の内周面を押圧し、または、マスキングテープの内周面を押圧する弾性変形可能な押圧部を有するテープ貼付器具は、粘着テープ材またはマスキングテープの内周面を押圧する弾性変形可能な押圧部によって粘着テープ材またはマスキングテープが支持ローラに回転可能に支持されるから、マスカーテープまたはマスキングテープを建造物の所定の貼付面に連続して貼付する一連の動作において粘着テープ材またはマスキングテープをテープ支持棒から確実に引き出すことができ、マスカーテープまたはマスキングテープを建造物の所定の貼付面に円滑に貼付することができる。
【００２３】
引出ローラが、粘着テープ材の非粘着面が貼着されまたはマスキングテープの非粘着面が貼着される粘着性の外周面を有してテープ引出棒の前端部に回転可能に取り付けられた粘着ローラと、粘着ローラの軸方向下方に位置してマスカーテープの養生シート材を建造物の粘着面に押し当てる弾性変形可能なクッションローラとから形成されているテープ貼付器具は、粘着テープ材の非粘着面またはマスキングテープの非粘着面が粘着ローラに貼着されることで、マスカーテープまたはマスキングテープの貼付面への貼付時に粘着テープ材またはマスキングテープが粘着ローラに確実に吸着保持され、粘着ローラから粘着テープ材またはマスキングテープが脱落することはなく、粘着ローラを利用して粘着テープ材の粘着面またはマスキングテープの粘着面を建造物の貼付面に確実に押し当てることができ、ロッドを移動させる一連の動作でマスカーテープまたはマスキングテープを建造物の所定の貼付面に連続して貼付することができる。テープ貼付器具は、弾性変形可能なクッションローラによってマスカーテープの養生シート材を建造物の貼付面に強く押し当てることができるから、粘着テープ材の建造物の貼付面への貼付時に養生シート材が不用意に遊動することはなく、粘着テープ材のみならず養生シート材が貼付面の押し当てられることで、粘着テープ材を建造物の貼付面に確実に貼付することができる。
【００２４】
粘着ローラの外周面の粘着力が、粘着テープ材の粘着面の粘着力よりも小さく、または、マスキングテープの粘着面の粘着力よりも小さいテープ貼付器具は、粘着ローラの外周面の粘着力が粘着テープ材の粘着面の粘着力よりも小さく、マスキングテープの粘着面の粘着力よりも小さいから、粘着テープ材やマスキングテープの粘着面が建造物の貼付面に押し当てられたときに、それらテープの粘着面が建造物の貼付面に貼り付きつつ、粘着ローラの外周面に吸着保持された粘着テープ材の非粘着面やマスキングテープの非粘着面が粘着ローラから確実に剥離し、粘着テープ材やマスキングテープの粘着面を建造物の貼付面に確実に貼付することができる。
【００２５】
テープ繰り出し部材のテープ支持棒とテープ引出棒との軸方向の長さ寸法が同一、支持ローラと粘着ローラとの軸方向の長さ寸法が同一であり、テープ支持棒に対する支持ローラの軸方向の取付位置とテープ引出棒に対する粘着ローラの軸方向の取付位置とが同一であるテープ貼付器具は、支持ローラと粘着ローラとが幅方向に対向しつつ幅方向へ並び、支持ローラと粘着ローラとの軸方向の取付位置に差が生じることがないから、支持ローラに支持された粘着テープ材の内周面またはマスキングテープの内周面が粘着ローラに確実に引き取られ、粘着ローラによって支持ローラからマスカーテープまたはマスキングテープを円滑に引き出すことができ、粘着ローラを利用して粘着テープ材やマスキングテープの粘着面を建造物の貼付面に確実に貼付することができる。
【００２６】
ロッドに対してテープ繰り出し部材のテープ支持棒とテープ引出棒とが所定の角度で傾斜するように、ベースの一端部がロッドの先端部に旋回可能に連結されているテープ貼付器具は、建造物の貼付面から離間した位置においてロッドを把持し、粘着テープ材やマスキングテープを貼付する場合、ロッドに対してテープ繰り出し部材のテープ支持棒とテープ引出棒とを所定の角度に傾斜させることで、建造物の貼付面に対するテープ支持棒やテープ引出棒の平行状態を維持することができ、建造物の貼付面に対する粘着テープ材やマスキングテープの粘着面の平行状態を維持することができる。テープ貼付器具は、建造物の貼付面に対する粘着テープ材やマスキングテープの粘着面の平行状態を維持することができるから、粘着テープ材やマスキングテープの粘着面全体を建造物の貼付面に押し当てることができ、粘着テープ材やマスキングテープの粘着面を建造物の貼付面に確実に貼付することができる。
【００２７】
ロッドが柄部を有する第１ロッドと第１ロッドの内部に収容されて第１ロッドの先端部から軸方向へ伸縮可能な第２ロッドと第１ロッドに対して第２ロッドを伸縮不能に固定するロック機構とを有するテープ貼付器具は、ロッドの長さ寸法を変更することができるとともに、ロック機構によって変更したロッドの長さ寸法を所定のそれに維持することができるから、建造物の貼付面に対するテープ繰り出し部材の位置を変えることができ、たとえば、建造物の高所の貼付面に粘着テープ材やマスキングテープの粘着面を貼付することができる。
【００２８】
テープ支持棒に挿脱可能に挿入されてマスキングテープを支持ローラに回転可能に設置する円筒状のアタッチメントを含み、アタッチメントの内周面が支持ローラの押圧部に押圧された状態でアタッチメントが支持ローラに回転可能に支持されるテープ貼付器具は、テープ支持棒に挿脱可能に挿入するアタッチメントを利用することで、長さ寸法がマスカーテープのそれよりも短いマスキングテープを支持ローラに設置することができ、ロッドを移動させる一連の動作でマスキングテープを建造物の所定の貼付面に連続して貼付することができる。テープ貼付器具は、アタッチメントをテープ支持棒に設置しない状態でマスカーテープを貼付面に貼付することができ、アタッチメントをテープ支持棒に設置した状態でマスキングテープを貼付面に貼付することができるから、アタッチメントを利用することで、マスカーテープのみならず、マスキングテープの貼付にも使用することができ、建物の高所の貼付面に対するそれらテープの貼付に最適に使用することができる。
【００２９】
人の手が届かない建造物の貼付箇所の高所の貼付面にテープを貼付する場合に使用されるテープ貼付器具は、このテープ貼付器具を利用することで、脚立を使用することなく、たとえば、建造物の高所の壁面や高所の梁面、高所の柱面等の建造物の貼付箇所の高所の貼付面にマスカーテープやマスキングテープを連続して貼付することができ、テープの貼付作業に手間と時間とを要せず、建造物の高所の貼付面に効率よく短時間にテープを貼付することができる。
【図面の簡単な説明】
【００３０】
【図１】一例として示すテープ貼付器具の正面図。
【図２】ロッドに対してテープ繰り出し部材を傾斜させた状態で示すテープ貼付器具の正面図。
【図３】第１ロッドに対して第２ロッドを伸縮不能に固定するロック機構の一例を示す図。
【図４】ロック機構を解除した状態で示す図３と同様の図。
【図５】支持ローラに形成された押圧部の一例を示すテープ支持棒の部分拡大図。
【図６】第１ロッドに対して第２ロッドを伸縮不能に固定するロック機構の他の一例を示す図。
【図７】テープ支持棒にマスカーテープを設置した状態で示すテープ貼付器具の正面図。
【図８】マスカーテープをテープ支持棒からテープ引出棒に設置する手順の説明図。
【図９】貼付面に対するマスカーテープの貼付状態を示すテープ貼付器具の上面図。
【図１０】貼付面に対するマスカーテープの貼付の一例を示すテープ貼付器具の斜視図。
【図１１】テープ支持棒にアタッチメントを挿入した状態のテープ貼付器具の正面図。
【図１２】アタッチメントにマスキングテープを設置した状態のテープ貼付器具の正面図。
【図１３】貼付面に対するマスキングテープの貼付の一例を示すテープ貼付器具の斜視図。
【図１４】他の一例として示すテープ貼付器具の正面図。
【図１５】テープ支持棒にマスキングテープを設置した状態の図１４のテープ貼付器具の正面図。
【図１６】貼付面に対するマスキングテープの貼付の一例を示す図１４のテープ貼付器具の斜視図。
【発明を実施するための形態】
【００３１】
一例として示すテープ貼付器具１０Ａの正面図である図１等の添付の図面を参照し、本発明にかかるテープ貼付器具の詳細を説明すると、以下のとおりである。なお、図２は、ロッド１８に対してテープ繰り出し部材２０を傾斜させた状態で示すテープ貼付器具１０Ａの正面図であり、図３は、第１ロッド２１に対して第２ロッド２２を伸縮不能に固定するロック機構２６の一例を示す図である。図４は、ロック機構２６を解除した状態で示す図３と同様の図であり、図５は、支持ローラに形成された押圧部の一例を示すテープ支持棒の部分拡大図である。図６は、第１ロッド２１に対して第２ロッド２２を伸縮不能に固定するロック機構２６の他の一例を示す図である。図１では、軸方向を矢印Ａで示し、幅方向の矢印Ｂで示す。図４，６では、軸方向前方を矢印Ａ１で示し、軸方向後方を矢印Ａ２で示す。
【００３２】
テープ貼付器具１０Ａは、テープの貼着作業を行う作業者（人）の手が届かない建物（建造物）の貼付箇所の高所の貼付面１１（高所の壁面や高所の梁面、高所の柱面等）にロール状に巻き取られたマスカーテープ１２（テープ）を貼付する場合に好適に使用され、または、壁面の高所の貼付面１１にロール状に巻き取られたマスキングテープ１３（テープ）を貼付する場合に好適に使用される。なお、テープ貼付器具１０Ａは、貼付箇所の高所の貼付面１１のみならず、建物（建造物）のいずれの貼付箇所の貼付面１１にそれらテープ１２，１３を貼付する場合にも使用される。
【００３３】
マスカーテープ１２やマスキングテープ１３は、それらテープ１２，１３が中空筒状の芯材（図示せず）に巻き付けられている。マスカーテープ１２は、建物の貼付箇所の貼付面１１に貼付される粘着テープ材１４と、粘着テープ材１４に連接されて粘着テープ材１４の下方に延びる養生シート材１４とから形成されている。粘着テープ材１４には、マスキングテープ材や布テープ材、ガムテープ材等がある。マスカーテープ１２では、粘着テープ材１４の非粘着面１６と粘着剤や接着剤が塗布された粘着面１７とが重なり合い、粘着面１７が非粘着面１６に剥離可能に貼着されている。マスキングテープ１３では、テープ１２の非粘着面１６と粘着剤や接着剤が塗布された粘着面１７とが重なり合い、粘着面１７が非粘着面１６に剥離可能に貼着されている。
【００３４】
テープ貼付器具１０Ａは、軸方向へ延びるロッド１８と、ロッド１８（第２ロッド２２）の先端部１９に取り付けられたテープ繰り出し部材２０とから形成されている。ロッド１８は、第１ロッド２１と、第１ロッド２１から軸方向前方へ延びる第２ロッド２２とから形成されている。第１ロッド２１は、アルミやステンレス等の金属、または、熱可塑性合成樹脂から作られた軸方向へ細長い丸パイプであるが、軸方向へ細長い角パイプを使用することもできる。第１ロッド２１は、テープ１２，１３の貼着作業を行う作業者（人）が手で把持する柄部２３（後端部）と、柄部２３の反対側に位置する先端部２５（前端部）と、柄部２３および先端部２５の間に位置する中間部２４とを有する。第１ロッド２１の先端部２５には、第２ロッド２２を伸縮不能（摺動不能）に固定するロック機構２６（ストッパー）が取り付けられている。
【００３５】
第２ロッド２２は、アルミやステンレス等の金属、または、熱可塑性合成樹脂から作られた軸方向へ細長い丸パイプであるが、軸方向へ細長い角パイプを使用することもできる。第２ロッド２２は、基端部２７（後端部）と、基端部２７の反対側に位置する先端部１９（前端部）と、基端部２７および先端部１９の間に位置する中間部２８とを有する。第２ロッド２２は、その直径が第１ロッド２１のそれよりも小さく、第１ロッド２１の内部（内側）に摺動可能に収容されている。
【００３６】
第２ロッド２２は、第１ロッド２１の先端部２５から軸方向前方へ露出し、第１ロッド２１の先端部２５から軸方向前方と後方とへ伸縮可能である。第２ロッド２２の先端部１９（ロッド１８の先端部１９）には、テープ繰り出し部材２０（ベース４０）を旋回可能に連結する取付金具２９が設置されている。取付金具２９は、金具２９と第２ロッド２２とに螺着された固定ボルト２９と固定ボルト３０の螺子に螺着されたナット（図示せず）とによってロッド２２に固定されている。
【００３７】
ロック機構２６は、図３，４に示すように、第１ロッド２１の先端部２５の外周面に固定された固定丸パイプ３１と、固定丸パイプ３１の外周面に設置された旋回レバー３２と、固定丸パイプ３１をその径方向に貫通する貫通孔３３に設置されたコイルバネ３４およびストッパーピン３５とから形成されている。ロック機構２６では、旋回レバー３２の基端部が固定丸パイプ３１の外周面に回転可能に取り付けられ、旋回レバー３２の先端部を軸方向前方から軸方向後方へ９０°旋回させることができ、先端部を軸方向後方から軸方向前方へ９０°旋回させることができる。
【００３８】
ロック機構２６では、ストッパーピン３５が第２ロッド２２の外周面の側に位置し、コイルバネ３４が旋回レバー３２の基端部とストッパーピン３５との間に位置している。旋回レバー３２の基端部は、先端部を軸方向前方へ旋回させた状態でコイルバネ３４を固定丸パイプ３１の径方向内方へ押圧する凸部分３６と、先端部を軸方向後方へ旋回させた状態でコイルバネ３４に当接する平坦部分３７とを有する。
【００３９】
旋回レバー３２の先端部を軸方向前方へ旋回させ、旋回レバー３２が固定丸パイプ３１と平行したロック状態では、図３に示すように、旋回レバー３２の基端部の凸部分３６がコイルバネ３４に当接し、凸部分３６によってコイルバネ３４が固定丸パイプ３１の径方向内方へ押圧され、コイルバネ３４が径方向内方へ収縮し、コイルバネ３４によってストッパーピン３５が固定丸パイプ３１の径方向内方へ付勢されている。ロック状態では、コイルバネ３４に付勢されたストッパーピン３５が第２ロッド２２の外周面を押圧し、第２ロッド２２がパイプ３１を介して第１ロッド２１に固定され、第２ロッド２２が第１ロッド２１に対して伸縮不能状態（摺動不能状態）になる。
【００４０】
図３の状態から旋回レバー３２の先端部を軸方向後方へ旋回させ、旋回レバー３２が固定丸パイプ３１の径方向外方へ延びたロック解除状態では、図４に示すように、旋回レバー３２の基端部の平坦部分３７がコイルバネ３４に当接し、コイルバネ３４に対する凸部分３６の押圧が解除され、コイルバネ３４が径方向外方へ伸長してストッパーピン３５に対するコイルバネ３４の付勢が解除されている。ロック解除状態では、第１ロッド２１に対して第２ロッド２２を軸方向前方と後方とへ摺動可能に移動（伸縮）させることができる。
【００４１】
図４に矢印Ａ１で示すように、ロック解除状態において第１ロッド２１に対して第２ロッド２２を軸方向前方へ移動させ（第１ロッド２１から第２ロッド２２を引き出し）、第１ロッド２１に対する第２ロッド２２の露出寸法を大きくすることで、ロッド１８の軸方向の長さ寸法（第１および第２ロッド２１，２２の両者による軸方向の長さ寸法）を長くすることができる。逆に、図４に矢印Ａ２で示すように、第１ロッド２１に対して第２ロッド２２を軸方向後方へ移動させ（第２ロッド２２を第１ロッド２１の内部に収容し）、第１ロッド２１に対する第２ロッド２２の露出寸法を小さくすることで、ロッド１８の軸方向の長さ寸法（第１および第２ロッド２１，２２の両者による軸方向の長さ寸法）を短くすることができる。
【００４２】
第１ロッド２１に対して第２ロッド２２を軸方向前方と後方とのいずれかへ移動させた後、旋回レバー３２の先端部を軸方向前方へ旋回させ、旋回レバー３２を固定丸パイプ３１に平行させると、旋回レバー３２の基端部の凸部分３６によってコイルバネ３４が固定丸パイプ３１の径方向内方へ押圧され、コイルバネ３４が径方向内方へ収縮し、コイルバネ３４によってストッパーピン３５が固定丸パイプ３１の径方向内方へ付勢されてロック状態になり、ロッド１８の軸方向の長さ寸法を長くした状態や長さ寸法を短くした状態が維持される。
【００４３】
ロック機構２６の他の一例としては、図６に示すように、第１ロッド２１の先端部２５の外周面に固定された固定丸パイプ３１と、固定丸パイプ３１をその径方向に貫通するボルト孔３８と、ボルト孔３８に螺着された固定ボルト３９とから形成されている。このロック機構２６では、ボルト孔３８に螺着された固定ボルト３９の先端が第２ロッド２２の外周面を径方向内方へ押圧することで、第２ロッド２２がパイプ３１を介して第１ロッド２１に固定され、第２ロッド２２が第１ロッド２１に対して伸縮不能なロック状態になる。
【００４４】
ロック状態から固定ボルト３９を反時計回りに回転させると、固定ボルト３８の先端が第２ロッド２２の外周面から径方向外方へ離間し、ロック状態が解除され、ロック解除状態になる。ロック解除状態では、第１ロッド２１に対して第２ロッド２２を軸方向前方と後方とへ摺動可能に移動（伸縮）させることができる。第１ロッド２１に対して第２ロッド２２を移動（伸縮）させた後、固定ボルト３９８を時計回りに回転させてロック状態にすることで、ロッド１７の軸方向の長さ寸法を長くした状態や長さ寸法を短くした状態が維持される。
【００４５】
テープ繰り出し部材２０は、第１および第２ロッド２１，２２と同一の素材であって、アルミやステンレス等の金属、または、熱可塑性合成樹脂から作られている。テープ繰り出し部材２０は、幅方向へ延びるベース４０と、マスカーテープ１２またはマスキングテープ１３を引出可能に支持するテープ支持棒４１と、テープ支持棒４１からマスカーテープ１２またはマスキングテープ１３を次第に引き出すテープ引出棒４２とから形成されている。
【００４６】
ベース４０は、第２ロッド２２（ロッド１８）の先端部１９に旋回可能に連結された一端部４３と、一端部４３から幅方向へ離間する他端部４４とを有する。ベース４０では、その一端部４３から軸方向後方へテープ支持棒４１の後端部の部分４５が延出（露出）し、その後端部の部分４５に第２ロッド２２の先端部１９に設置された取付金具２９が連結されている。取付金具２９と後端部の部分４５とは、それらに螺着された連結ボルト４６とボルト４６の螺子に螺着されたナット（図示せず）とによって連結されている。
【００４７】
連結ボルト４６を時計回りに回転させてボルト４６を締めると、取付金具２９と後端部の部分４５とがボルト４６とナットとに締め付けられて金具２９と後端部の部分４５とが固定され、ロック状態になる。連結ボルト４６を反時計回りに回転させてボルト４６を緩め、取付金具２９と後端部の部分４５との固定を解除すると、ロック解除状態になり、図２に矢印Ｃで示すように、第２ロッド２２の先端部１９に対して一端部４３を中心にベース４０を旋回させることができ、ｒロッド１８（第１および第２ロッド２１，２２）に対してテープ繰り出し部材２０のテープ支持棒４１とテープ引出棒４２とを所定の角度で傾斜させることができる。テープ繰り出し部材２０のテープ支持棒４１とテープ引出棒４２とを所定の角度で傾斜させた状態で連結ボルト４６を締めると、その状態で取付金具２９と後端部の部分４５とが固定されてロック状態になり、テープ支持棒４１とテープ引出棒４２との傾斜状態が維持される。
【００４８】
テープ支持棒４１は、ベース４０の一端部４３からテープ引出棒４２と平行して軸方向前方へ延びている。テープ支持棒４１は、軸方向の長さ寸法（テープ支持棒４１のベース４０から軸方向前方への延出寸法）がテープ引出棒４２の長さ寸法（テープ引出棒４２のベース４０から軸方向前方への延出寸法）と同一である。テープ支持棒４１には、マスカーテープ１２やマスキングテープ１３が挿脱可能に挿入される。テープ支持棒４１は、その後端部がベース４０の一端部４３に固定されている。
【００４９】
テープ支持棒４１の後端部をベース４０の一端部４３に固定する一例は、テープ繰り出し部材２０が金属から作られている場合、テープ支持棒４１の後端部をベース４０の一端部４３に溶接することで後端部がベース４０に固定され、または、テープ支持棒４１の後端部とベース４０の一端部４３とに螺着された固定ボルト（図示せず）によって後端部がベース４０に固定される。テープ繰り出し部材２０が熱可塑性合成樹脂で作られている場合、テープ支持棒４１とベース４０とが一体成形されることで後端部がベース４０の一端部４３に固定され、または、テープ支持棒４１の後端部とベース４０の一端部４３とに螺着された固定ボルト（図示せず）によって後端部がベース４０に固定される。
【００５０】
テープ支持棒４１のベース４０から軸方向前方へ離間する前端部には、マスカーテープ１２の粘着テープ材１４の内周面を保持し、または、後記するアタッチメント５３の内周面を保持する支持ローラ４７が回転可能に取り付けられている。支持ローラ４７は、図１，５に矢印Ｄ１で示すように、テープ支持棒４１に対して時計回り方向と反時計回り方向とへ回転する。支持ローラ４７は、その周面から径方向外方に延びる（径方向外方へ凸となるように張り出す）弾性変形可能な押圧部４８（押圧凸部）を有する。押圧部４８は、粘着テープ材１４の内周面を押圧し、または、アタッチメント５３の内周面を押圧する。
【００５１】
マスカーテープ１２（芯材）をテープ支持棒４１に挿入すると、マスカーテープ１２の内周面（芯材の内周面）によって支持ローラ４７の押圧部４８がテープ支持棒４１の径方向内方へ押圧され、図５に矢印Ｅ１で示すように、押圧部４８が径方向内方へ弾性変形しつつ、押圧部４８がマスカーテープ１２の粘着テープ材１４の内周面（芯材の内周面）を押圧し、マスカーテープ１２がテープ支持棒４１の支持ローラ４７に回転可能に設置される。
【００５２】
テープ支持棒４１では、支持ローラ４７の押圧部４８がマスカーテープ１２の粘着テープ材１４の内周面を押圧することで、テープ支持棒４１からのマスカーテープ１２の抜け出しが防止される。テープ支持棒４１に挿入されたマスカーテープ１２をテープ支持棒４１から取り外すには、支持ローラ４７の押圧部４８の押圧力に抗してマスカーテープ１２を軸方向前方へ引き抜く。マスカーテープ１２をテープ支持棒４１から引き抜くと、図５に矢印Ｅ２で示すように、支持ローラ４７の押圧部４８が径方向外方へ弾性変形し、押圧部４８がマスカーテープ１２をテープ支持棒４１に挿入する以前の状態に戻る。
【００５３】
テープ引出棒４２は、ベース４０の他端部４４からテープ支持棒４１と平行して軸方向前方へ延びている。テープ引出棒４２は、軸方向の長さ寸法（テープ引出棒４２のベース４０から軸方向前方への延出寸法）がテープ支持棒４１の長さ寸法（テープ支持棒４１のベース４０から軸方向前方への延出寸法）と同一である。テープ引出棒４２は、マスカーテープ１２の粘着テープ材１４の粘着面１７やマスキングテープ１３の粘着面１７を貼付面１１に押し当てつつテープ支持棒４１からそれらテープ１２，１３を次第に引き出す。テープ引出棒４２は、その後端部がベース４０の他端部４４に固定されている。
【００５４】
テープ引出棒４２の後端部をベース４０の他端部４４に固定する一例は、テープ繰り出し部材２０が金属から作られている場合、テープ引出棒４２の後端部をベース４０の他端部４４に溶接することで後端部がベース４０に固定され、または、テープ引出棒４２の後端部とベース４０の他端部４４とに螺着された固定ボルト（図示せず）によって後端部がベース４０に固定される。テープ繰り出し部材２０が熱可塑性合成樹脂で作られている場合、テープ引出棒４２とベース４０とが一体成形されることで後端部がベース４０の他端部４４に固定され、または、テープ引出棒４２の後端部とベース４０の他端部４４とに螺着された固定ボルト（図示せず）によって後端部がベース４０に固定される。
【００５５】
テープ引出棒４２のベース４０から軸方向前方へ離間する前端部には、マスカーテープ１２の粘着テープ材１４を巻き付けた状態で粘着テープ材１４の非粘着面１６を保持し、または、マスキングテープ１３を巻き付けた状態でマスキングテープ１３の非粘着面１６を保持する引出ローラ４９が回転可能に取り付けられている。引出ローラ４９は、テープ引出棒４２の前端部に回転可能に取り付けられた粘着ローラ５０と、粘着ローラ５０の軸方向下方に位置してテープ引出棒４２に回転可能に取り付けられた弾性変形可能なクッションローラ５１とから形成されている。粘着ローラ５０およびクッションローラ５１（引出ローラ４９）は、図１に矢印Ｄ２で示すように、テープ引出棒４２に対して時計回り方向と反時計回り方向とへ回転する。クッションローラ５１が回転不能であってもよい。
【００５６】
粘着ローラ５０は、合成樹脂を発泡成形して作られたポリスチレンフォームやポリプロピレンフォーム、フェノールフォーム、ＰＥＴ樹脂発泡体等の弾性変形可能な発泡プラスチックと、粘着剤が塗布されて発泡プラスチックの外周面に貼着された粘着シートとから作られている。または、弾性変形可能な発泡プラスチックと、発泡プラスチックの外周面に塗布された粘着剤とから作られている。粘着ローラ５０は、その外周面５２が粘着性を有し、マスカーテープ１２の粘着テープ材１４の非粘着面１６を吸着保持し、または、マスキングテープ１３の非粘着面１６を吸着保持する。なお、粘着ローラ５０の外周面５２の粘着力は、マスカーテープ１２の粘着テープ材１３の粘着面１７の粘着力よりも小さく、または、マスキングテープ１３の粘着面１７の粘着力よりも小さい。
【００５７】
クッションローラ５１は、その長さ寸法が粘着ローラ５０のそれよりも長く、合成樹脂を発泡成形して作られたポリスチレンフォームやポリプロピレンフォーム、フェノールフォーム、ＰＥＴ樹脂発泡体等の弾性変形可能な発泡プラスチックから作られている。クッションローラ５１は、テープ引出棒４２の径方向内方へ弾性変形しつつその反発力によってマスカーテープ１２の養生シート材１５を建物の粘着面１１に押し当てる。テープ繰り出し部材２０では、支持ローラ４７と粘着ローラ５０との軸方向の長さ寸法が同一であり、テープ支持棒４１に対する支持ローラ４７の軸方向の取付位置とテープ引出棒４２に対する粘着ローラ５０の軸方向の取付位置とが同一である。支持ローラ４７と粘着ローラ５０とは、それらローラ４７，５０が幅方向に対向しつつ互いに平行して幅方向へ並んでいる。
【００５８】
図７は、テープ支持棒４１にマスカーテープ１２を設置した状態で示すテープ貼付器具１０Ａの正面図であり、図８は、マスカーテープ１２をテープ引出棒４２に設置する手順の説明図である。図９は、貼付面１１に対するマスカーテープ１２の貼付状態を示すテープ貼付器具１０Ａの上面図であり、図１０は、貼付面１１に対するマスカーテープ１２の貼付の一例を示すテープ貼付器具１０Ａの斜視図である。
【００５９】
図９，１０では、建物の壁面の高所の貼付面１１にマスカーテープ１２を貼付する場合を示す。なお、ロッド１８に対してテープ繰り出し部材２０のテープ支持棒４１とテープ引出棒４２とをあらかじめ所定の角度で傾斜させている。また、建物の壁面の高所の貼付面１１にテープ繰り出し部材２０のテープ支持棒４１とテープ引出棒４２とが届くように、ロッド１８の長さ寸法が事前に調節されている。
【００６０】
テープ貼付器具１０Ａを利用して建物の壁面の高所の貼付面１１にマスカーテープ１２を貼付する手順の一例は以下のとおりである。芯材にロール状に巻き取られたマスカーテープ１２（芯材）をテープ支持棒４１に挿入し、マスカーテープ１２をテープ支持棒４１に設置する。マスカーテープ１２をテープ支持棒４１に設置すると、マスカーテープ１２の粘着テープ材１４がテープ支持棒４１の支持ローラ４７に位置し、支持ローラ４７の押圧部４８が粘着テープ材１４の内周面を押圧し、マスカーテープ１２がテープ支持棒４１の支持ローラ４７に回転可能に設置される。
【００６１】
マスカーテープ１２をテープ支持棒４１に設置した後、貼着作業を行う作業者がマスカーテープ１２の端部を指で摘持し、マスカーテープ１２をテープ支持棒４１からテープ引出棒４２に向かって引き出す。マスカーテープ１２をテープ支持棒４１から引き出した後、図８に示すように、引き出したマスカーテープ１２の粘着テープ材１４の端部の非粘着面１６がテープ引出棒４２の粘着ローラ５０の外周面５２に当接するように、粘着テープ材１４の端部を粘着ローラ５０に巻き付け、粘着テープ材１４の端部の非粘着面１６をテープ引出棒４２の粘着ローラ５０の外周面５２に貼着するとともに、マスカーテープ１２の養生シート材１５をクッションローラ５１に当接させる。
【００６２】
図８の状態でマスカーテープ１２の貼付の準備が完了する。図８の貼付準備完了状態では、マスカーテープ１２の粘着テープ材１４の端部がテープ引出棒４２の粘着ローラ５０に巻き付いているとともに、マスカーテープ１２の養生シート材１５の端部がテープ引出棒４２のクッションローラ５１に巻き付き、粘着ローラ５０の外周面５２に粘着テープ材１４の非粘着面１６が吸着保持され、粘着テープ材１４の粘着面１７が粘着ローラ５０の外周面の反対側に位置する。
【００６３】
テープ貼付器具１０Ａは、マスカーテープ１２の粘着テープ材１４の非粘着面１６が粘着ローラ５０の外周面５２に吸着保持（貼着）されることで、マスカーテープ１２の貼付面１１への貼付時に粘着テープ材１４が粘着ローラ５０に確実に保持され、粘着ローラ５０から粘着テープ材１４が脱落することはなく、粘着ローラ５０を利用して粘着テープ材１４の粘着面１７を貼付面１１に確実に押し当てることができる。
【００６４】
マスカーテープ１２の貼付準備が完了した後、作業者は、壁面から離間した床面に立ち、第１ロッド２１の柄部２３を手で持って、テープ貼付器具１０Ａを持ち上げてロッド１８を起立させ、テープ繰り出し部材２０を建物の壁面の高所の貼付面１１に位置させる。  テープ繰り出し部材２０を貼付面１１に位置させた後、テープ引出棒４２を貼付面１１に移動させ、テープ引出棒４２の粘着ローラ５０（粘着テープ材１４）とクッションローラ５１（養生シート材１５）とを壁面の粘着面１１に当接させる。
【００６５】
なお、作業者が壁面から離間した床面に位置するから、ロッド１８が壁面に対して平行することがなく、ロッド１８が壁面に対して傾斜するが、ロッド１８に対してテープ支持棒４１とテープ引出棒４２とが所定の角度で傾斜しているから、テープ支持棒４１やテープ引出棒４２が壁面の貼着面１１に平行する。それらローラ５０，５１（粘着テープ材１４や養生シート材１５）を粘着面１１に当接させた後、作業者が壁面に沿って横方向へ移動することで、ロッド１８を壁面に沿って横方向へ移動させ、図９に矢印Ｆで示すように、テープ貼付器具１０Ａを建物の壁面の高所の貼付面１１に沿って横方向へ移動させる。
【００６６】
テープ貼付器具１０Ａを貼付面１１に沿って横方向へ移動させると、マスカーテープ１２の粘着テープ材１４の粘着面１７が壁面の貼付面１１に貼着され、粘着テープ材１４が貼付面１１に連続して次第に貼付される。テープ貼付器具１０Ａの横方向への移動にともなって粘着テープ材１４が貼付面１１に連続して貼付されることにより、図９に矢印Ｇで示すように、テープ支持棒４１の支持ローラ４７やテープ引出棒４２の粘着ローラ５０およびクッションローラ５１が回転するとともに、図９に矢印Ｈで示すように、マスカーテープ１２の粘着テープ材１４や養生シート材１５がテープ支持棒４１からテープ引出棒４２に向かって次第に引き出され、マスカーテープ１２が壁面の高所の貼付面１１に一連の動作で連続的に貼付される。
【００６７】
テープ貼付器具１０Ａでは、粘着ローラ５０の外周面５２の粘着力が粘着テープ材１４の粘着力よりも小さいから、粘着テープ材１４の粘着面１７が貼付面１１に押し当てられたときに、粘着テープ材１４の粘着面１７が貼付面１１に貼り付きつつ、粘着ローラ５０の外周面５２に吸着保持された粘着テープ材１４の非粘着面１６が粘着ローラ５０から確実に剥離し、マスカーテープ１２が粘着ローラ５０に残存することはなく、貼付面１１にマスカーテープ１２が確実に貼付される。また、クッションローラ５１が貼付面１１に圧着してローラ５１が弾性変形しつつマスカーテープ１２の養生シート材１５を貼付面１１に押し当てるから、マスカーテープ１２の貼付時に養生シート材１５が不用意に遊動することはない。
【００６８】
テープ貼付器具１０Ａは、軸方向へ延びる第１ロッド２１の柄部２３を手で把持し、ベース４０の他端部４４から軸方向前方へ延びるテープ引出棒４２の粘着ローラ５０とクッションローラ５１とを利用し、テープ支持棒４１に支持されたマスカーテープ１２の粘着テープ材１４の粘着面１７と養生シート材１５とを壁面の高所の貼付面１１に押し当てつつ、ロッド１８を貼付面１１に沿って横方向へ移動させることで、テープ支持棒４１からロール状に巻き取られたマスカーテープ１２が次第に引き出されるとともに、マスカーテープ１２が貼付面１１に連続して貼り付けられるから、ロッド１８の移動という一連の動作でマスカーテープ１２を壁面の高所の貼付面１１に連続的に貼付することができ、マスカーテープ１２の貼付作業に手間と時間とを要せず、貼付面１１に効率よく短時間にマスカーテープ１２を貼付することができる。
【００６９】
テープ貼付器具１０Ａは、ロッド１８を手で把持し、テープ繰り出し部材２０をロッド１８の上方へ持ち上げてテープ引出棒４２を壁面の高所の貼付面１１に位置させることで、脚立を使用することなく、作業者（人）の手が届かない高所の貼付面１１にマスカーテープ１２を一連の動作で連続的に貼付することができる。したがって、このテープ貼付器具１０は、建物の高所の貼付面１１に対するマスカーテープ１２の貼付に最適に使用することができる。
【００７０】
図１１は、テープ支持棒４１にアタッチメント５３を挿入した状態のテープ貼付器具１０Ａの正面図であり、図１２は、アタッチメント５３にマスキングテープ１３を設置した状態のテープ貼付器具１０Ａの正面図である。図１３は、貼付面１１に対するマスキングテープ１３の貼付の一例を示すテープ貼付器具１０Ａの斜視図である。図１３では、建物の壁面の高所の貼付面１１にマスキングテープ１３を貼付する場合を示す。なお、ロッド１８に対してテープ繰り出し部材２０のテープ支持棒４１とテープ引出棒４２とをあらかじめ所定の角度で傾斜させている。また、建物の壁面の高所の貼付面１１にテープ繰り出し部材２０のテープ支持棒４１とテープ引出棒４２とが届くように、ロッド１８の長さ寸法が事前に調節されている。
【００７１】
テープ貼付器具１０Ａのテープ支持棒４１には、軸方向へ長い円筒状のアタッチメント５３が挿脱可能に挿入される。アタッチメント５３は、マスキングテープ１３を壁面の高所の貼付面１１に貼付する場合に利用される。アタッチメント５３は、それをテープ支持棒４１に挿入したときに、テープ支持棒４１の支持ローラ４７の外側に位置するテープ支持部５４と、支持ローラ４７の下方に延びるテープ支持棒４１の外側に位置するテープ載置部５５とを有する。テープ支持部５４の外周面には、合成樹脂を発泡成形して作られたポリスチレンフォームやポリプロピレンフォーム、フェノールフォーム、ＰＥＴ樹脂発泡体等の弾性変形可能な発泡プラスチックが取り付けられている。
【００７２】
アタッチメント５３では、発泡プラスチックを含むテープ支持部５４の直径がマスキングテープ１３の内径（芯材の直径）と略同一またはわずかに大きく、マスキングテープ１３をテープ支持部５４に挿入し、マスキングテープ１３をテープ支持部５４に嵌め込むことで、テープ支持部５４に取り付けられた発泡プラスチックが径方向内方へ弾性変形し、マスキングテープ１３がテープ支持部５４に支持される。
【００７３】
アタッチメント５３では、テープ載置部５５の直径がマスキングテープ１３の内径（芯材の直径）よりも大きく、マスキングテープ１３をテープ載置部５５に挿入することはできず、マスキングテープ１３がテープ支持部５４に位置するようにマスキングテープ１３の軸方向下方への移動がテープ載置部５５によって阻止される。アタッチメント５３をテープ支持棒４１に挿入すると、アタッチメント５３の内周面によって支持ローラ４７の押圧部４８がテープ支持棒４１の径方向内方へ押圧され、押圧部４８が径方向内方へ弾性変形しつつ、押圧部４８がアタッチメント５３の内周面を押圧し、アタッチメント５３がテープ支持棒４１の支持ローラ４７に回転可能に設置される。アタッチメント５３の下端はベース４０に当接する。
【００７４】
テープ支持棒４１では、支持ローラ４７の押圧部４８がアタッチメント５３の内周面を押圧することで、テープ支持棒４１からのアタッチメント５３の抜け出しが防止される。マスキングテープ１３をアタッチメント５３のテープ支持部５４から取り外すには、テープ支持部５４の弾性力に抗してマスキングテープ１３を軸方向前方へ引き抜く。テープ支持棒４１に挿入されたアタッチメント５３をテープ支持棒４１から取り外すには、支持ローラ４７の押圧部４８の押圧力に抗してアタッチメント５３を軸方向前方へ引き抜く。アタッチメント５３をテープ支持棒４１から引き抜くと、支持ローラ４７の押圧部４８が径方向外方へ弾性変形し、押圧部４８がアタッチメント５３をテープ支持棒４１に挿入する以前の状態に戻る（図５参照）。
【００７５】
テープ貼付器具１０Ａを利用して建物の壁面の高所の貼付面１１にマスキングテープ１３を貼付する手順の一例は以下のとおりである。なお、マスキングテープ１３を貼付面１１に貼付する理由は、たとえば、マスカーテープ１２の粘着テープ材１５が布テープやガムテープである場合、その布テープやガムテープを壁面に貼付すると、マスカーテープ１２を壁面から剥離させるときにそれらテープの粘着力によって壁面が剥がれてしまう場合がある。この場合、マスカーテープ１２の粘着テープ材１５を貼付する貼付面１１にあらかじめマスキングテープ１３を貼付することで、マスカーテープ１２を壁面から剥離させるときの壁面の剥がれを防止するためである。
【００７６】
アタッチメント５３をテープ支持棒４１に挿入し、アタッチメント５３をテープ支持棒４１に回転可能に設置する。芯材にロール状に巻き取られたマスキングテープ１３（芯材）をアタッチメント５３のテープ支持部５４に挿入し、マスキングテープ１３をアタッチメント５３のテープ支持部５４に設置する。マスキングテープ１３をアタッチメント５３のテープ支持部５４に設置した後、作業者がマスキングテープ１３の端部を指で摘持し、マスキングテープ１３をアタッチメント５３からテープ引出棒４２に向かって引き出す。次に、引き出したマスキングテープ１３の端部の非粘着面１６がテープ引出棒４２の粘着ローラ５０の外周面５２に当接するように、マスキングテープ１３の端部を粘着ローラ５０に巻き付け、マスキングテープ１３の端部の非粘着面１６をテープ引出棒４２の粘着ローラ５０の外周面５２に貼着し、マスキングテープ１３の貼付の準備が完了する。
【００７７】
貼付準備完了状態では、マスキングテープ１３の端部がテープ引出棒４２の粘着ローラ５０に巻き付き、粘着ローラ５０の外周面５２にマスキングテープ１３の非粘着面１６が吸着保持され、マスキングテープ１３の粘着面１７が粘着ローラ５０の外周面の反対側に位置する。マスキングテープ１３の非粘着面１６が粘着ローラ５０の外周面５２に吸着保持（貼着）されることで、マスキングテープ１３の貼付面１１への貼付時にマスキングテープ１３が粘着ローラ５０に確実に保持され、粘着ローラ５０からマスキングテープ１３が脱落することはなく、粘着ローラ５０を利用してマスキングテープ１３の粘着面１７を貼付面１１に確実に押し当てることができる。
【００７８】
マスキングテープ１３の貼付準備が完了した後、作業者は、壁面から離間した床面に立ち、第１ロッド２１の柄部２３を手で持って、テープ貼付器具１０Ａを持ち上げてロッド１８を起立させ、テープ繰り出し部材２０を建物の壁面の高所の貼付面１１に位置させる。テープ繰り出し部材２０を貼付面１１に位置させた後、テープ引出棒４２を貼付面１１に移動させ、テープ引出棒４２の粘着ローラ５０（マスキングテープ１３）とクッションローラ５１とを壁面の粘着面１１に当接させる。それらローラ５０，５１（マスキングテープ１３）を粘着面１１に当接させた後、作業者が壁面に沿って横方向へ移動することで、ロッド１８を壁面に沿って横方向へ移動させ、図１３に矢印Ｆで示すように、テープ貼付器具１０Ａを建物の壁面の高所の貼付面１１に沿って横方向へ移動させる。
【００７９】
テープ貼付器具１０Ａを貼付面１１に沿って横方向へ移動させると、マスキングテープ１３の粘着面１７が壁面の貼付面１１に貼着され、マスキングテープ１３が貼付面１１に連続して次第に貼付される。テープ貼付器具１０Ａの横方向への移動にともなって粘着テープ材１４が貼付面１１に連続して貼付されることにより、テープ支持棒４１の支持ローラ４７やテープ引出棒４２の粘着ローラ５０およびクッションローラ５１が回転するとともに、マスキングテープ１３がテープ支持棒４１からテープ引出棒４２に向かって次第に引き出され、マスキングテープ１３が壁面の高所の貼付面１１に一連の動作で連続的に貼付される。
【００８０】
粘着ローラ５０の外周面５２の粘着力がマスキングテープ１３の粘着力よりも小さいから、マスキングテープ１３の粘着面１７が貼付面１１に押し当てられたときに、マスキングテープ１３の粘着面１７が貼付面１１に貼り付きつつ、粘着ローラ５０の外周面５２に吸着保持されたマスキングテープ１３の非粘着面１６が粘着ローラ５０から確実に剥離し、マスキングテープ１３が粘着ローラ５０に残存することはなく、貼付面１１にマスキングテープ１３が確実に貼付される。
【００８１】
テープ貼付器具１０Ａは、軸方向へ延びる第１ロッド２１の柄部２３を手で把持し、ベース４０の他端部４４から軸方向前方へ延びるテープ引出棒４２の粘着ローラ５０とクッションローラ５１とを利用し、テープ支持棒４１に支持されたマスキングテープ１３の粘着面１７を壁面の高所の貼付面１１に押し当てつつ、ロッド１８を貼付面１１に沿って横方向へ移動させることで、テープ支持棒４１からロール状に巻き取られたマスキングテープ１３が次第に引き出されるとともに、マスキングテープ１３が貼付面１１に連続して貼り付けられるから、ロッド１８の移動という一連の動作でマスキングテープ１３を壁面の高所の貼付面１１に連続的に貼付することができ、マスキングテープ１３の貼付作業に手間と時間とを要せず、貼付面１１に効率よく短時間にマスキングテープ１３を貼付することができる。
【００８２】
テープ貼付器具１０Ａは、ロッド１８を手で把持し、テープ繰り出し部材２０をロッド１８の上方へ持ち上げてテープ引出棒４２を壁面の高所の貼付面１１に位置させることで、脚立を使用することなく、作業者（人）の手が届かない高所の貼付面１１にマスキングテープ１３を一連の動作で連続的に貼付することができる。したがって、このテープ貼付器具１０Ａは、建物の高所の貼付面１１に対するマスキングテープ１３の貼付に最適に使用することができる。
【００８３】
テープ貼付器具１０Ａは、アタッチメント５３をテープ支持棒４１に設置しない状態でマスカーテープ１２を貼付面１１に貼付することができ、アタッチメント５３をテープ支持棒４１に設置した状態でマスキングテープ１３を貼付面１１に貼付することができるから、アタッチメント５３を利用することで、マスカーテープ１２のみならず、マスキングテープ１３の貼付にも使用することができ、建物の高所の貼付面１１に対するそれらテープ１２，１３の貼付に最適に使用することができるとともに、マスカーテープ１２を貼付作業とマスカーテープ１２を貼付する前のマスキングテープ１３の貼付作業との両者に使用することができる。
【００８４】
図１４は、他の一例として示すテープ貼付器具１０Ｂの正面図であり、図１５は、テープ支持棒４１にマスキングテープ１３を設置した状態のテープ貼付器具１０Ｂの正面図である。図１６は、貼付面１１に対するマスキングテープ１３の貼付の一例を示すテープ貼付器具１０Ｂの斜視図である。図１６では、建物の壁面の高所の貼付面１１にマスキングテープ１３を貼付する場合を示す。なお、ロッド１８に対してテープ繰り出し部材２０のテープ支持棒４１とテープ引出棒４２とをあらかじめ所定の角度で傾斜させている。また、建物の壁面の高所の貼付面１１にテープ繰り出し部材２０のテープ支持棒４１とテープ引出棒４２とが届くように、ロッド１８の長さ寸法が事前に調節されている。
【００８５】
テープ貼付器具１０Ｂは、テープの貼着作業を行う作業者（人）の手が届かない建物（建造物）の壁面の高所の貼付面１１にロール状に巻き取られたマスキングテープ１３（テープ）を貼付する場合に好適に使用される。なお、テープ貼付器具１０Ｂは、貼付箇所の高所の貼付面１１のみならず、建物のいずれの貼付箇所の貼付面１１にマスキングテープ１３を貼付する場合にも使用される。
【００８６】
テープ貼付器具１０Ｂは、第１および第２ロッド２１，２２から作られた軸方向へ延びるロッド１８と、ロッド１８（第２ロッド２２）の先端部１９に取り付けられたテープ繰り出し部材２０とから形成されている。第１ロッド２１や第２ロッド２２は、図１のテープ貼付器具１０Ａのそれらと同一である。ロッド１８は、ロック機構によってその軸方向の長さ寸法を長くした状態や長さ寸法を短くした状態が維持される。
【００８７】
テープ繰り出し部材２０は、一端部４３と他端部４４とを有して幅方向へ延びるベース４０と、マスキングテープ１３を引出可能に支持するテープ支持棒４１と、テープ支持棒４１からマスキングテープ１３を次第に引き出すテープ引出棒４２とから形成されている。ベース４０は、図１のテープ貼付器具１０Ａのそれと同一である。第２ロッド２２の先端部１９に対して一端部４３を中心にベース４０を旋回させることができ、ロッド１８（第１および第２ロッド２１，２２）に対してテープ繰り出し部材２０のテープ支持棒４１とテープ引出棒４２とを所定の角度で傾斜させることができる。
【００８８】
テープ支持棒４１は、ベース４０の一端部４３からテープ引出棒４２と平行して軸方向前方へ延びている。テープ支持棒４１は、軸方向の長さ寸法（テープ支持棒４１のベース４０から軸方向前方への延出寸法）が図１のテープ貼付器具１０Ａのそれよりも短く、テープ引出棒４２の長さ寸法（テープ引出棒４２のベース４０から軸方向前方への延出寸法）と同一である。テープ支持棒４１は、その後端部がベース４０の一端部４３に固定されている。
【００８９】
テープ支持棒４１のベース４０から軸方向前方へ離間する前端部には、マスキングテープ１３の内周面を保持する支持ローラ４７が回転可能に取り付けられ、支持ローラ４７の直下にテープ支持棒４１の径方向外方へ延びる円盤５６が取り付けられている。支持ローラ４７は、その周面から径方向外方に延びる（径方向外方へ凸となるように張り出す）弾性変形可能な押圧部４８（押圧凸部）を有する。押圧部４８は、マスキングテープ１３の内周面を押圧する。
【００９０】
マスキングテープ１３（芯材）をテープ支持棒４１に挿入すると、マスキングテープ１３の内周面（芯材の内周面）によって支持ローラ４７の押圧部４８がテープ支持棒４１の径方向内方へ押圧され、押圧部４８が径方向内方へ弾性変形しつつ、押圧部４８がマスキングテープ１３の内周面（芯材の内周面）を押圧し、マスキングテープ１３がテープ支持棒４１の支持ローラ４７に回転可能に設置される。なお、マスキングテープ１３の支持ローラ４７から下方への移動が円盤５６によって阻止される。テープ支持棒４１では、支持ローラ４７の押圧部４８がマスキングテープ１３の内周面を押圧することで、テープ支持棒４１からのマスキングテープ１３の抜け出しが防止される。マスキングテープ１３をテープ支持棒４１から取り外すには、支持ローラ４７の押圧部４８の押圧力に抗してマスキングテープ１３を軸方向前方へ引き抜く。
【００９１】
テープ引出棒４２は、ベース４０の他端部４４からテープ支持棒４１と平行して軸方向前方へ延びている。テープ引出棒４２は、軸方向の長さ寸法（テープ引出棒４２のベース４０から軸方向前方への延出寸法）が図１のテープ貼付器具１０Ａのそれよりも短く、テープ支持棒４１の長さ寸法（テープ支持棒４１のベース４０から軸方向前方への延出寸法）と同一である。テープ引出棒４２は、その後端部がベース４０の他端部４４に固定されている。
【００９２】
テープ引出棒４２のベース４０から軸方向前方へ離間する前端部には、マスキングテープ１３を巻き付けた状態でマスキングテープ１３の非粘着面１６を保持する引出ローラ４９が回転可能に取り付けられている。引出ローラ４９は、テープ引出棒４２の前端部に回転可能に取り付けられた粘着ローラ５０から形成されている。粘着ローラ５０は、図１のテープ貼付器具１０Ａのそれと同一である。粘着ローラ５０は、その外周面５２が粘着性を有し、マスキングテープ１３の非粘着面１６を吸着保持する。なお、粘着ローラ５０の外周面５２の粘着力は、マスキングテープ１３の粘着面１７の粘着力よりも小さい。テープ繰り出し部材２０では、支持ローラ４７と粘着ローラ５０との軸方向の長さ寸法が同一であり、テープ支持棒４１に対する支持ローラ４７の軸方向の取付位置とテープ引出棒４２に対する粘着ローラ５０の軸方向の取付位置とが同一である。支持ローラ４７と粘着ローラ５０とは、それらローラ４７，５０が幅方向に対向しつつ互いに平行して幅方向へ並んでいる。
【００９３】
テープ貼付器具１０Ｂを利用して建物の壁面の高所の貼付面１１にマスキングテープ１３を貼付する手順の一例は以下のとおりである。芯材にロール状に巻き取られたマスキングテープ１３（芯材）をテープ支持棒４１に挿入し、マスキングテープ１３をテープ支持棒４１の支持ローラ４７に回転可能に設置する。マスキングテープ１３を支持ローラ４７に設置した後、作業者がマスキングテープ１３の端部を指で摘持し、マスキングテープ１３を支持ローラ４７からテープ引出棒４２に向かって引き出す。引き出したマスキングテープ１３の端部の非粘着面１６がテープ引出棒４２の粘着ローラ５０の外周面５２に当接するように、マスキングテープ１３の端部を粘着ローラ５０に巻き付け、マスキングテープ１３の端部の非粘着面１６をテープ引出棒４２の粘着ローラ５０の外周面５２に貼着する。
【００９４】
マスキングテープ１３の貼付準備が完了した後、作業者は、壁面から離間した床面に立ち、第１ロッド２１の柄部２３を手で持って、テープ貼付器具１０Ｂを持ち上げてロッド１８を起立させ、テープ繰り出し部材２０を建物の壁面の高所の貼付面１１に位置させる。テープ繰り出し部材２０を貼付面１１に位置させた後、テープ引出棒４２を貼付面１１に移動させ、テープ引出棒４２の粘着ローラ５０（マスキングテープ１３）を壁面の粘着面１１に当接させる。ローラ５０（マスキングテープ１３）を粘着面１１に当接させた後、作業者が壁面に沿って横方向へ移動することで、ロッド１８を壁面に沿って横方向へ移動させ、図１６に矢印Ｆで示すように、テープ貼付器具１０Ｂを建物の壁面の高所の貼付面１１に沿って横方向へ移動させる。
【００９５】
テープ貼付器具１０Ｂを貼付面１１に沿って横方向へ移動させると、マスキングテープ１３の粘着面１７が壁面の貼付面１１に貼着され、マスキングテープ１３が貼付面１１に連続して次第に貼付される。テープ貼付器具１０Ｂの横方向への移動にともなって粘着テープ材１４が貼付面１１に連続して貼付されることにより、テープ支持棒４１の支持ローラ４７やテープ引出棒４２の粘着ローラ５０が回転するとともに、マスキングテープ１３がテープ支持棒４１からテープ引出棒４２に向かって次第に引き出され、マスキングテープ１３が壁面の高所の貼付面１１に一連の動作で連続的に貼付される。
【００９６】
テープ貼付器具１０Ｂでは、粘着ローラ５０の外周面５２の粘着力がマスキングテープ１３の粘着力よりも小さいから、マスキングテープ１３の粘着面１７が貼付面１１に押し当てられたときに、マスキングテープ１３の粘着面１７が貼付面１１に貼り付きつつ、粘着ローラ５０の外周面５２に吸着保持されたマスキングテープ１３の非粘着面１６が粘着ローラ５０から確実に剥離し、マスキングテープ１３が粘着ローラ５０に残存することはなく、貼付面１１にマスキングテープ１３が確実に貼付される。
【００９７】
テープ貼付器具１０Ｂは、軸方向へ延びる第１ロッド２１の柄部２３を手で把持し、ベース４０の他端部４４から軸方向前方へ延びるテープ引出棒４２の粘着ローラ５０とクッションローラ５１とを利用し、テープ支持棒４１に支持されたマスキングテープ１３の粘着面１７を壁面の高所の貼付面１１に押し当てつつ、ロッド１８を貼付面１１に沿って横方向へ移動させることで、テープ支持棒４１からロール状に巻き取られたマスキングテープ１３が次第に引き出されるとともに、マスキングテープ１３が貼付面１１に連続して貼り付けられるから、ロッド１８の移動という一連の動作でマスキングテープ１３を壁面の高所の貼付面１１に連続的に貼付することができ、マスキングテープ１３の貼付作業に手間と時間とを要せず、貼付面１１に効率よく短時間にマスキングテープ１３を貼付することができる。
【００９８】
テープ貼付器具１０Ｂは、ロッド１８を手で把持し、テープ繰り出し部材２０をロッド１８の上方へ持ち上げてテープ引出棒４２を壁面の高所の貼付面１１に位置させることで、脚立を使用することなく、作業者（人）の手が届かない高所の貼付面１１にマスキングテープ１３を一連の動作で連続的に貼付することができる。したがって、このテープ貼付器具１０Ｂは、建物の高所の貼付面１１に対するマスキングテープ１３の貼付に最適に使用することができる。
【符号の説明】
【００９９】
１０    テープ貼付器具
１１    貼付面
１２    マスカーテープ
１３    マスキングテープ
１４    粘着テープ材
１５    養生シート材
１６    非粘着面
１７    粘着面
１８    ロッド
１９    先端部
２０    テープ繰り出し部材
２１    第１ロッド
２２    第２ロッド
２３    柄部
２４    中間部
２５    先端部
２６    ロック機構
２７    基端部
２８    中間部
２９    取付金具
３０    固定ボルト
３１    固定丸パイプ
３２    旋回レバー
３３    貫通孔
３４    コイルバネ
３５    ストッパーピン
３６    凸部分
３７    平坦部分
３８    ボルト孔
３９    固定ボルト
４０    ベース
４１    テープ支持棒
４２    テープ引出棒
４３    一端部
４４    他端部
４５    部分
４６    連結ボルト
４７    支持ローラ
４８    押圧部
４９    引出ローラ
５０    粘着ローラ
５１    クッションローラ
５２    外周面
５３    アタッチメント
５４    テープ支持部
５５    テープ載置部
５６    円盤
【図１】
2016222382.tif 000003
【図２】
2016222382.tif 000004
【図３】
2016222382.tif 000005
【図４】
2016222382.tif 000006
【図５】
2016222382.tif 000007
【図６】
2016222382.tif 000008
【図７】
2016222382.tif 000009
【図８】
2016222382.tif 000010
【図９】
2016222382.tif 000011
【図１０】
2016222382.tif 000012
【図１１】
2016222382.tif 000013
【図１２】
2016222382.tif 000014
【図１３】
2016222382.tif 000015
【図１４】
2016222382.tif 000016
【図１５】
2016222382.tif 000017
【図１６】
2016222382.tif 000018